(57)【要約】【課題】  同種又は異種からなる複数の多配管又は／及び多配線を支持する多配管・多配線用吊りバンドを提供することにある。【解決手段】  多配管・多配線用吊りバンド１０は、開口部２１を備えたバンド片２０をタンバックル８０を介して吊りボルト９０に取り付けたものである。バンド片２０の開口部２１は、１本又は２本組の配管・配線を挿入可能な開口幅であるとともに、挿入された多配管又は／及び多配線を結束した結束体の結束断面における一番短い幅よりも狭い開口幅を持つことによって多配管又は／及び多配線を支持する。【選択図】  図１
2013164137.tif 000002
【特許請求の範囲】
【請求項１】
同種又は異種からなる複数の多配管又は／及び多配線を支持する多配管・多配線用吊りバンドであって、
１本又は２本以上組の配管・配線を挿入可能な開口幅であるとともに、挿入された多配管又は／及び多配線を結束した結束体の結束断面における一番短い幅よりも狭い開口幅を持つ開口部を備えたバンド片によって多配管又は／及び多配線を支持することを特徴とする多配管・多配線用吊りバンド。
【請求項２】
バンド片の開口部を閉塞する閉塞片を備えたことを特徴とする請求項１記載の多配管・多配線用吊りバンド。
【請求項３】
閉塞片によって閉塞されていない状態にあるバンド片は、バンド片及び閉塞片の自重によって開口部が略水平方向に開口されることを特徴とする請求項２記載の多配管・多配線用吊りバンド。
【請求項４】
バンド片と連結用ボルトによって連結される閉塞片の端部に連結用ボルトに係止するためのひょうたん形の係止孔及びボルトにナットの脱落を防止するための手段を備えたことを特徴とする請求項２又は３記載の多配管・多配線用吊りバンド。
【請求項５】
バンド片はそのエッジ部を配管・配線と非接触になるように形成したことを特徴とする請求項１から４のいずれかに記載の多配管・多配線用吊りバンド。
【請求項６】
バンド片の下半部は曲線状であることを特徴とする請求項１から５のいずれかに記載の多配管・多配線用吊りバンド。
【請求項７】
多配管又は／及び多配線を長手方向に支持する支持片の突起部と係止してその取り付けを可能にするスリット又は穿孔をバンド片の下半部に形成したことを特徴とする請求項１から６のいずれかに記載の多配管・多配線用吊りバンド。
【発明の詳細な説明】
【技術分野】
【０００１】
本願発明は、同種又は異種からなる複数の多配管又は／及び多配線を支持する多配管・多配線用吊りバンドに関するものである。
【背景技術】
【０００２】
複数の配管を支持する吊りバンドに関する先行技術文献としては、特許文献１及び特許文献２に示すものが挙げられる。
【０００３】
特許文献１は、図９に示すものである。詳しくは、配管を天井から懸吊支持するに当って、二本の配管を吊りバンドを変形加工することなく、手間をかけずに確実にしかも均一に保持することを目的として、全体が楕円形状となる一対の略半円形状の保持部２，３の一端部を蝶着し、他端部には吊り部５，６を延出形成して保持体１を形成し、タンバックル７に吊下げ部９，１０を延出形成し、このタンバックル７にナット体１２を回動自在に保持しておき、上記保持体１とタンバックル７とを連結部材１３により回転自在に連結して構成したものが開示されている（符号は特許文献１のもの）。
【０００４】
特許文献２は、図１０に示すものである。詳しくは、二本の冷媒管を体裁良く吊り下げ、冷媒配管の仮置きを容易に実現し、結露の発生を防ぎ、連結部材としてのナットボルトの落下を防止し、かつ、内外連絡電線を係り止める部材を吊り金具本体に備えることにより、冷媒配管施行工事の完成度を高めると共に作業効率をすこぶる促進することができる空調装置の冷媒配管用の吊りバンド金具を提供することを目的として、帯板を屈曲させた配管支持部材１と該配管支持部材１の下端に揺動自在に連結される蓋部材２とが、吊り配管金具３を介しナット付きボルトをもって貫通結合される空調装置の冷媒配管用の吊りバンド金具において、吊り下げ金具本体の連結状態の全体形状が下方にしたがい幅広になる水滴状に形成され、蓋部材２の上部に穿設されるナット付きボルト４が嵌合される孔５の形状が大小二円の重なるダルマ状に形成されると共に、配管支持部材１側面部に外側に向かって切り起こされる内外連絡電線係止片６を備えたものが開示されている（符号は特許文献２のもの）。
【先行技術文献】
【特許文献】
【０００５】
【特許文献１】実開平０６−１６７９４号公報
【特許文献２】特開平１１−９４１３４号公報
【発明の概要】
【発明が解決しようとする課題】
【０００６】
上記する特許文献１及び特許文献２は、複数の配管を支持することが可能な吊りバンドであるだけでなく、施工途中の配管の「仮置き」も可能となっている（特許文献１について明細書［００１０］［００１２］及び図２等を参照、特許文献２について明細書［０００６］第３文及び図２等を参照）。しかしながら、あくまでも「仮置き」であって、必ずその後に開口しているバンド部（特許文献１では「保持体１」、特許文献２では「配管支持部材１と蓋部材２」）を閉じる必要があった。
【０００７】
これに対して、本願発明者は、上記特許文献１及び特許文献２とは全く異なる発想で、安定性及び作業性等に優れた多配管・多配線用吊りバンドを提供すべく鋭意試験・研究を行い、本願発明を完成するに至った。
【課題を解決するための手段】
【０００８】
上記目的を達成するために、本願発明の第１の発明は、同種又は異種からなる複数の多配管又は／及び多配線を支持する多配管・多配線用吊りバンドであって、１本又は２本以上組の配管・配線を挿入可能な開口幅であるとともに、挿入された多配管又は／及び多配線を結束した結束体の結束断面における一番短い幅よりも狭い開口幅を持つ開口部を備えたバンド片によって多配管又は／及び多配線を支持することを特徴とするものである。
ここで、「配管」は特に特定するものではないが、例えば、被覆冷媒管やドレン管などの空調用配管が挙げられる。
また、「配線」も特に特定するものではないが、例えば、内外連絡用電線（操作線又はわたり線）や電源ケーブルなどが挙げられる。
第２の発明は、バンド片の開口部を閉塞する閉塞片を備えたことを特徴とする同多配管・多配線用吊りバンドである。
第３の発明は、閉塞片によって閉塞されていない状態にあるバンド片が、バンド片及び閉塞片の自重によって開口部が略水平方向に開口されることを特徴とする同多配管・多配線用吊りバンドである。
第４の発明は、バンド片と連結用ボルトによって連結される閉塞片の端部に連結用ボルトに係止するためのひょうたん形の係止孔及びボルトにナットの脱落を防止するための手段を備えたことを特徴とする同多配管・多配線用吊りバンドである。
第５の発明は、バンド片がそのエッジ部を配管・配線と非接触になるように形成したことを特徴とする同多配管・多配線用吊りバンドである。
第６の発明は、バンド片の下半部が曲線状（例えば、円弧状・楕円状など）であることを特徴とする同多配管・多配線用吊りバンドである。なお、この場合、上半分の形状は特に限定されるものではない。
第７の発明は、多配管又は／及び多配線を長手方向に支持する支持片の突起部と係止してその取り付けを可能にするスリット又は穿孔をバンド片の下半部に形成したことを特徴とする同多配管・多配線用吊りバンドである。
【発明の効果】
【０００９】
上記した本願発明によれば、以下のような効果を有する。
（１）同種又は異種からなる複数の多配管又は／及び多配線を支持する多配管・多配線用吊りバンドにあって、１本又は２本組の配管・配線を挿入可能な開口幅であるとともに、挿入された多配管又は／及び多配線を結束した結束体の結束断面における一番短い幅よりも狭い開口幅を持つ開口部を備えたバンド片によって多配管又は／及び多配線を支持することで、いったんバンド片に挿入された配管・配線（結束体）が開口部から抜け落ちることを防止できるので、一見して「仮置き」状態のようにあっても安定的・確実的に多配管・多配線を支持できるとともに、作業性にも優れたものとなっている。また、バンド片とタンバックルの締結が配管前に完了できる（一度の締結で済ませることができる）。
（２）上記（１）に記載したように開口部をそのままにしても安定的・確実的に多配管・多配線を支持できるが、バンド片の開口部を閉塞する閉塞片を備えることで、より安定的・確実的に多配管・多配線を支持できる。
（３）閉塞片によって閉塞されていない状態にあるバンド片が、バンド片及び閉塞片の自重によって開口部が略水平方向に開口されることで、配管・配線（１本又は２本組ごと）の挿入作業が確実且つ容易に行えるようになる。
（４）バンド片と連結用ボルトによって連結される閉塞片の端部に連結用ボルトに係止するためのひょうたん形の係止孔を備えることで、連結用ボルトに螺合するナットを取り外さずに、閉塞片の端部をバンド片に連結できるので、作業性に優れたものとなる。併せて、ボルトにナットの脱落を防止するための手段を備えたことで、同じく作業性に優れたものとなる。
（５）バンド片のエッジ部を配管・配線と非接触になるように形成することで、バンド片のエッジ部が配管・配線と直接に接触しないので、エッジ部による配管・配線の破損を防止できる。
（６）バンド片の下半部が円弧状であることで、多配管・多配線を長手方向に支持する支持片などを取り付けることができるようになる。
（７）多配管又は／及び多配線を長手方向に支持する支持片の突起部と係止してその取り付けを可能にするスリット又は穿孔をバンド片の下半部に形成することで、バンド片の下半部に支持片を確実に取り付けることができるようになる。
【図面の簡単な説明】
【００１０】
【図１】本願発明の第１実施形態を示す説明図（１）。
【図２】本願発明の第１実施形態を示す説明図（２）。
【図３】本願発明の第２実施形態を示す説明図（１）。
【図４】本願発明の第２実施形態を示す説明図（２）。
【図５】本願発明の第２実施形態を示す説明図（３）。
【図６】本願発明の第２実施形態を示す説明図（４）。
【図７】本願発明の第２実施形態を示す説明図（５）。
【図８】本願発明の第２実施形態を示す説明図（６）。
【図９】特許文献１に開示された先行技術を示す説明図。
【図１０】特許文献２に開示された先行技術を示す説明図。
【発明を実施するための形態】
【００１１】
本願発明の実施形態を図面に基づいて説明する。
図１及び図２は、本願発明に係る多配管・多配線用吊りバンドの第１実施形態を示す説明図である。なお、第１実施形態においては、多配管を例に挙げて説明する（但し、多配線又は配線を含む多配管を排除するものではない）。
図１は、第１実施形態の全体構造を示す斜視図である。図１（ａ）に示すように、多配管・多配線用吊りバンド１０（以下「吊りバンド１０」）は、開口部２１を備えたバンド片２０をタンバックル８０を介して吊りボルト９０に取り付けたものである。
図１（ｂ）に示すように、バンド片２０の開口部２１からバンド片２０内へ１本の配管（単管）７０又は２本組の配管７１を挿入する。そして、挿入された多配管を帯状のようなもので結束し、多配管の結束体７５とする。
【００１２】
図２は、第１実施形態の支持構造を示す説明図である。図２に示すように、バンド片２０の開口部２１は、開口幅「Ｂ」を持っている。この開口幅「Ｂ」は、図１（ａ）に図示したように、１本の配管（単管）７０又は２本組の配管７１を挿入する可能とする開口幅である。また、この開口幅「Ｂ」は、図２に図示するように、バンド片２０内へ挿入された多配管の結束体７５の結束断面における一番短い幅「Ａ」との関係において「Ａ＞Ｂ」となっている。すなわち、結束体７５が開口部２１を通過できない構造となっているのである。これにより、いったんバンド片２０に挿入された配管・配線（結束体７５）が開口部２１から抜け落ちることを防止できるので、開口部を塞ぐことなく安定的・確実的に多配管・多配線を支持できる。また、開口部を塞ぐ必要がないので、作業性・コスト性にも優れたものとなっている。
【００１３】
図３から図８は、本願発明に係る多配管・多配線用吊りバンドの第２実施形態を示す説明図である。なお、第２実施形態においても、第１実施形態と同様に多配管を例に挙げて説明する（但し、多配線又は配線を含む多配管を排除するものではない）。
図３は、第２実施形態の全体構造を示す斜視図である。図２に多配管・多配線用吊りバンド１１（以下「吊りバンド１１」）が、第１実施形態の吊りバンド１０と異なるのは、バンド片２０の開口部２１を閉塞する閉塞片３０を備えたことである。第１実施形態（図２）で説明したように、開口部２１をそのままにしても安定的・確実的に多配管を支持できるが、バンド片２０の開口部２１を閉塞する閉塞片３０を備えることで、より安定的・確実的に多配管・多配線を支持できることになる。
【００１４】
図４及び図５は、第２実施形態の支持構造の一例を示す説明図である。図４（ａ）に示すように、閉塞片３０によって閉塞されていない状態（開放状態）にあるバンド片２０は、バンド片２０及び閉塞片３０の自重によって開口部２１が略水平方向に開口されることになる（閉塞片３０によって閉塞されている状態に比較し、開口部２１が下がる）。これによって、配管（単管）７０又は配管７１（２本組）の挿入作業が確実且つ容易に行えるようになる。
【００１５】
図５（Ａ）は、図４に示す第２実施形態の吊りバンド１１をさらに発展させたものである。すなわち、タンバックル８０に設けられた連結ボルト８５用のボルト孔の一方（バンド片２０側）を長孔８２にしたものである。これにより、もう一方のボルト孔８３を支点にして連結ボルト８５の可動範囲が広がり、バンド片２０及び閉塞片３０の自重によって開口部２１がより略水平方向に開口されることになる。なお、図５（Ｂ）の比較例では、タンバックル８０の通常のボルト孔８１（バンド片２０側）の場合を示すが、図５（Ａ）の場合ほど連結ボルト８５の可動範囲が広がらない。なお、バンド片２０の方に長孔を設けてもよい。その場合、長孔は通常の孔の下側を延伸して形成することになる。
【００１６】
図６は、第２実施形態の支持構造のその他の一例を示す説明図である。図６に示すように、バンド片２０と連結用ボルト８５によって連結される閉塞片３０の端部３１に連結用ボルト８５に係止するためのひょうたん形の係止孔３２を備える。これにより、連結用ボルト８５に螺合するナット８６を取り外さずに、閉塞片３０の端部３１をバンド片２０に連結できる。すなわち、まず、係止片３２の下側に形成された大径部３３にナット８６を通し、その後に小径部にボルト８５を通すことでナット８６を取り外さずに連結できる。このため、作業性に優れたものとなる。また、図示省略するが、ボルトにナットの脱落を防止するための手段（例えば、ボルトのネジ部にネジ殺しを設けるなど）を備えたことで、同じく作業性に優れたものとなる。
【００１７】
図７は、第２実施形態の支持構造のその他の一例を示す説明図である。図７（ａ）に示すように、バンド片２０の周方向の中心部を内側へ凸状２３に形成したり、図７（ｂ）に示すように、バンド片２０の周方向の中心部を内側へ略Ｍ字２６に形成する（第１実施形態においても同じ）。これにより、バンド片２０のエッジ部２４，２４が配管７０と直接に接触しないので、エッジ部２４による配管７０の破損を防止できるのである。なお、凸状２３又は略Ｍ字２６は、閉塞片３０に形成してもよい。
【００１８】
図８は、第２実施形態の支持構造のその他の一例を示す説明図である。図８に示すように、配管（図示省略）を長手方向に支持する支持片６０の突起部６１と係止してその取り付けを可能にするスリット２５をバンド片２０の下半部に形成する（第１実施形態においても同じ）。これにより、バンド片２０の下半部に支持片６０を確実に取り付けることができるようになる。
【産業上の利用可能性】
【００１９】
本願発明に係る多配管・多配線用吊りバンドは、同種又は異種からなる複数の多配管又は／及び多配線を支持するするために、広く利用できるものである。特に同種又は異種からなる複数の多配管・多配線を１個の吊りバンドで支持する必要のある空調用設備に効果的に利用できるものである。
【符号の説明】
【００２０】
１０  多配管・多配線用吊りバンド（第１実施形態）
１１  多配管・多配線用吊りバンド（第２実施形態）
２０  バンド片
２１  開口部
２３  凸状
２４  エッジ部
２５  スリット
３０  閉塞片
３１  端部
３２  係止片
３３  大径部
３４  小径部
６０  支持片
６１  突起部
７０  配管（単管）
７１  配管（２本組）
７５  結束体
８０  タンバックル
８１  ボルト孔（丸孔）
８２  長孔
８３  ボルト孔（丸孔）
８５  連結ボルト
８６  ナット
９０  吊りボルト
【図１】
2013164137.tif 000003
【図２】
2013164137.tif 000004
【図３】
2013164137.tif 000005
【図４】
2013164137.tif 000006
【図５】
2013164137.tif 000007
【図６】
2013164137.tif 000008
【図７】
2013164137.tif 000009
【図８】
2013164137.tif 000010
【図９】
2013164137.tif 000011
【図１０】
2013164137.tif 000012